(57)【要約】【課題】防湿性を向上させた運搬用部材の提供を目的とするものである。【解決手段】運搬用部材１は、被運搬物７が載置される上板２と、上板２の下面に垂設された複数の桁材４と、隣り合う桁材４の間に形成されたフォーク爪挿入部５とを備えた運搬用部材１において、被運搬物７に被せた袋状包装シート９の裾Ｓを系止する裾系止部１０を上板２及び／または桁材４に設けた構成にしてある。また、裾系止部１０が、上板２に形成された縦切欠部１４、及び、桁材４に形成された横切欠部１５よりなるものである。更に、桁材４が、芯部１２と、芯部１２を縦方向に巻回する段ボール製の外巻部１３とを備えてなり、横切欠部１５が外巻部１３の巻き終わり端部を桁材４の底面における桁材４の側面より凹んだ位置に配置することにより形成されているものである。【選択図】図１
2008213867.tif 000002
【特許請求の範囲】
【請求項１】
被運搬物が載置される上板と、前記上板の下面に垂設された複数の桁材と、隣り合う前記桁材の間に形成されたフォーク爪挿入部とを備えた運搬用部材において、前記被運搬物に被せた袋状包装用シートの裾を係止する裾係止部を前記上板及び／または前記桁材に設けたことを特徴とする運搬用部材。
【請求項２】
裾係止部が、上板に形成された縦切欠部、及び、桁材に形成された横切欠部よりなることを特徴とする請求項１に記載の運搬用部材。
【請求項３】
桁材が、芯部と、前記芯部を縦方向に巻回する段ボール製の外巻部とを備えてなり、横切欠部が前記外巻部の巻き終わり端部を前記桁材の底面における前記桁材の側面より凹んだ位置に配置することにより形成されていることを特徴とする請求項２に記載の運搬用部材。
【請求項４】
請求項１乃至請求項３のいずれか一項に記載の運搬用部材を備えてなる空気調和装置。
【発明の詳細な説明】
【技術分野】
【０００１】
本発明は、運搬用部材に係り、更に詳しくはフォークリフトによって被運搬物を運搬する際に用いる運搬用部材に関するものである。
【背景技術】
【０００２】
従来、被運搬物をフォークリフト等によって運搬する際、被運搬物の下部に設けられた運搬用部材が多く用いられ、図７に示すように、運搬用部材１００は、上板２０と、上板２０の下面に垂設された複数の桁材４０、桁材４０の底面に固着された下板３０と、隣り合う桁材４０の間に形成されたフォーク爪挿入部５０とを備えた構造を有する。桁材４０は、芯部１２０と、芯部１２０を縦方向に巻回する外巻部１３０とを備えている。
【０００３】
運搬用部材は木材又は段ボール等により構成されている。運搬用部材を木材により構成した場合、一般に重量が大きくて、製造コストも高くつき、また近年の自然保護の点から木材の使用が制限されている。さらに使用後の廃棄処理も問題になっている。これに対し、運搬用部材を段ボールにより構成した場合には、上記のような問題が生じないので、近年では段ボールを使用した運搬用部材が多く検討されている（例えば、特許文献１，２参照）。
【０００４】
【特許文献１】実開平５−６５８３７号公報
【０００５】
【特許文献２】特開平９−５８６８４号公報
【発明の開示】
【発明が解決しようとする課題】
【０００６】
しかしながら、段ボールにより構成された運搬用部材は、雨水等に濡れると急激に強度が低下し、被運搬物の転倒や落下といった問題が生じる。また、従来の木材により構成された運搬用部材においても、雨水等に濡れることは好ましくなく、木材の腐食等を生じる恐れがある。
【０００７】
本発明は、上記した従来の問題点に鑑みてなされたものであって、防湿性を向上させた運搬用部材の提供を目的とするものである。
【課題を解決するための手段】
【０００８】
上記目的を達成するために、本発明に係る運搬用部材は、被運搬物が載置される上板と、上板の下面に垂設された複数の桁材と、隣り合う桁材の間に形成されたフォーク爪挿入部とを備えた運搬用部材において、被運搬物に被せた袋状包装用シートの裾を係止する裾係止部を上板及び／または桁材に設けた構成にしてある。
【発明の効果】
【０００９】
本発明では、運搬用部材に裾係止部が設けられているので、包装用シートの裾を裾係止部に係止することで、運搬用部材を包装用シートにより覆うことができる。よって、運搬用部材が雨水等の液体に濡れるのを防止できる。
ことができる。
【発明を実施するための最良の形態】
【００１０】
実施の形態１．
図１は本発明の一実施形態に係る運搬用部材１を用いた被運搬物７を包装し、包装用シート９の内部を透視した状態の斜視図である。同図において、この実施形態に係る運搬用部材１は、被運搬物７の前端部及び後端部を支持するよう前後に離間して配設され、被運搬物７が載置される平面視略矩形状の上板２と、上板２の下面の左右端部及び長手方向中央部に垂設された桁材４と、桁材４の下面に固設された下板３と、隣り合う桁材４の間に形成されたフォーク爪挿入部５とを備えている。
【００１１】
被運搬物７は、家電製品や設備用製品等といったフォークリフトによって運搬されるものであれば特に限定されないが、例えば、空気調和装置の室外機等が挙げられる。通常、家電製品や設備用製品等は段ボール、或いは合成樹脂製の包装用シート等によって包装された状態で運搬される。特に、空気調和装置の室外機は、工場で製造された後ビル等の設置現場に運搬され、設置されるまでの期間が数ヶ月に及ぶこともあるので、包装用シート等によって包装することにより防湿性や防汚性を向上させている。また、該室外機は重量があるため人手によって運搬することは困難であり作業効率が悪いので、下部に運搬用部材を備え、フォークリフト等により運搬できるようになっている。
【００１２】
本実施形態に係る運搬用部材１においては、被運搬物７の上板２との当接部には、据付足（図示せず）が外方に突出して形成されており、螺子等の固定具（図示せず）によって上板２に固定されている。被運搬物７は、透明又は不透明の合成樹脂製等の袋状の包装用シート９が上方より被せられており、更に、被運搬物７の上部には、包装用シート９の上から段ボール製等の上部カバー８が被せられている。
【００１３】
上板２及び下板３の材質は、段ボール、木材又は合成樹脂等いずれであってもよいが、段ボールが好ましい。段ボールであれば、軽量で再生可能だからである。また、木材の場合のように輸出の際の防虫の燻蒸処理が不要となるのでコストが抑えられるからである。
【００１４】
上板２及び桁材４には、袋状包装用シート９の裾Ｓを係止する裾係止部１０が設けられている。裾係止部１０は、上板２に形成された縦切欠部１４、及び、桁材４に形成された横切欠部１５により構成されている。縦切欠部１４は、例えば、１ｃｍ〜５ｃｍ等といった所定の深さを有する溝が上板の所定位置に略縦方向に切り欠かれて形成されている。縦切欠部１４の形成される所定位置とは、包装用シート９の裾Ｓを係止した際、フォーク爪の挿脱を妨げないようなフォーク爪挿入部５の左右上隅部近傍に等である。
【００１５】
横切欠部１５は、桁材４の下部であってフォーク爪挿入部５の形成された面と同一面に設けられている。図２は、被運搬物７の前端部に配設された運搬用部材１の桁材４の右側面図である。桁材４は芯部１２と、芯部１２を縦方向に巻回する外巻部１３とを備えている。図２では、芯部１２及び外巻部１３は、波形板紙２６の片面または両面に平板状ライナ２７が接合されなる段ボール１８により構成されている。
【００１６】
芯部１２は、複数の前記段ボール１８が縦方向に積層され接合一体化され直方体状とされた構造を有する。このように、複数の段ボール１８が縦方向に積層されているので、被運搬物７を螺子等の固定具によって運搬用部材１に固定する際に、上板２を貫通して螺合した前記固定具が複数の平板状ライナ２７及び波形板紙２６を貫通して螺合するので、被運搬物７が運搬用部材１に強固に固定されることとなる。これに対し、芯部を構成する複数の段ボールが横方向に積層されている場合には、固定具は平板状ライナまたは波形板紙に殆ど螺合されず、被運搬物を運搬用部材に強固に固定することができない。
【００１７】
外巻部１３は芯部１２を構成する段ボール１８と平行に芯部１２の底面から巻き始められ、巻き始め端部Ｈは芯部１２のフォーク爪挿入部５の形成された面と対抗する面に位置するようになっている。そして、図２において、芯部１２の外周を反時計回りに巻回し、再び底面に至り、巻き終わり端部Ｆがフォーク爪挿入部５の形成された面と同一面に位置するようになっている。従って、桁材４の底面のみ外巻部１３が二重構造となっている。
【００１８】
また、外巻部１３の巻き終わり端部Ｆは桁材４の底面における桁材４の側面より凹んだ位置に配置され、この凹んだ部分により、横切欠部１４が構成されている。これにより、桁材を直方体状に形成した後に、桁材の側面下部を新たに横方向に切り欠いて横切欠部を形成するといった工程を別途行う必要がなく、容易に横切欠部を有する桁材を形成することができることとなる。
【００１９】
従来は、図７に示すように、桁材４０が段ボールなどにより構成され、段ボール１８０の波形板紙２６の波形を目視できる断面がフォーク爪挿入部５０の形成される面と同一面となるよう桁材４０が配置されていたが、本実施形態１では、桁材４を構成する段ボール１８の波形板紙２６の波形を目視できる断面を、フォーク爪挿入部５の形成される面と直交する向きに配置している。これにより、桁材４に形成した横切欠部１４をフォーク爪挿入部５の形成される面と同一面に位置することができる。
【００２０】
引続き、運搬用部材１の動作につき、以下に説明する。
まず、包装用シート９の裾Ｓを裾係止部１０に係止するため、図３（ａ）に示すように包装用シート９を被運搬物７に被せた後、同図（ｂ）に示すように包装用シート９の端部を軸心にして裾Ｓを外巻きまたは内巻きし、包装用シート９の裾Ｓを複数回重ね合わせ補強する。
【００２１】
そして、上記のようにして補強された裾Ｓを縦切欠部１４及び横切欠部１５に順次係止させていく。全ての裾係止部１０に裾Ｓを係止させた後、包装用シート９に弛んだ部分が生じている場合は、所定位置で結束し、結束部１１を形成する。所定位置とは例えばフォーク爪挿入部５の形成されていない側面の下部などフォーク爪の挿脱や運搬の妨げにならない位置である。
【００２２】
縦切欠部１５はフォーク爪挿入部５の左右端部に形成されているので、フォーク爪の挿脱を妨げるといったことがない。
【００２３】
以上より、本実施形態１に係る運搬用部材１は裾係止部１０が設けられているので、包装用シート９の裾Ｓを裾係止部１０に係止することで、運搬用部材１を包装用シート９により覆うことができる。よって、運搬用部材１が雨水等の液体に濡れるのを防止でき、運搬用部材１の強度の低下を防止することが可能となる。また、運搬の際、包装用シート９の裾Ｓが風などによって捲れ上がるといったことを防止できる。
【００２４】
裾係止部１０が、上板２に形成された縦切欠部１４、及び、桁材４に形成された横切欠部１５よりなるので、縦切欠部１４及び横切欠部１５に包装用シート９の裾Ｓを非常に容易に係止することができる。
【００２５】
桁材４が、芯部１２と、芯部１２を縦方向に巻回する段ボール製の外巻部１３とを備えてなり、横切欠部１４が外巻部１３の巻き終わり端部Ｆを桁材４の底面における桁材４の側面より凹んだ位置に配置することにより形成されているので、横切欠部１５を形成する工程を別途設ける必要がなく、非常に容易に横切欠部１５を有する桁材４を形成することができることとなる。
【００２６】
尚、上記の実施形態では、裾係止部１０は、縦切欠部１４及び横切欠部１５により構成したが、本発明の運搬用部材はそれに限定されるものでなく、複数のフック等の係止部材により構成してもよい。また、裾係止部１０を上板２及び桁材４に形成したが、これに限定されず、例えば上板または桁材のいずれか一方にのみ設けてもよい。その際には、被運搬物をフォーク爪の挿脱を妨げない構造の係止部材により係止する。即ち、例えば、フック等を上板又は桁材の所定位置に取り付け、包装用シートの裾をフックに係止させるなどしてもよい。
【００２７】
また、運搬用部材１は、前後に離間して配設されたが、これに限定されず、図４に示すように、前後の上板２ａ及び下板３ａがそれぞれ連結され、一体に形成された構造としてしてもよい。また、縦切欠部１４は所定の深さの溝により構成したが、図５に示すように、蟻溝状に形成した構造の縦切欠部１４ａであってもよい。これにより、係止した裾Ｓを縦切欠部１４ａから外れにくくすることができる。
【００２８】
包装用シート９の裾Ｓを外巻き又は内巻きして補強したが、これに限定されず、図６に示すように、裾Ｓに複数の紐通し孔２９を形成し、紐３０を通して、この紐を裾係止部である縦切欠部及び横切欠部に係止させてもよい。紐の端部は運搬の妨げにならないようフォーク爪挿入部の形成されていない側面下部などで結ぶことにより、紐３０が弛まないようにする。また、桁材４の下部を下板３に固定したが、下板３を設けず、桁材が直接地面や床などに当接する構造としてもよい。
【００２９】
芯部１２は段ボールにより構成したが、これに限定されず、木材または合成樹脂等により構成してもよい。また、包装用シート９の裾Ｓを補強する際、包装用シート９を被運搬物７に被せた後に包装用シート９の端部を軸心にして裾Ｓを外巻きまたは内巻きしたが、予め裾を外巻きまたは内巻きし補強した後に、補強した裾を有する包装用シートを被運搬物に被せてもよい。
【図面の簡単な説明】
【００３０】
【図１】本発明の一実施形態に係る運搬用部材を用い被運搬物を包装し、内部を透視した状態の斜視図である。
【図２】前記運搬用部材の桁材の右側面図である。
【図３】前記運搬用部材を用い被運搬物を包装する際の包装用シートの使用態様図である。
【図４】本発明の別の実施形態に係る運搬用部材の使用態様図である。
【図５】本発明の他の実施形態に係る縦切欠部の使用態様図である。
【図６】本発明の更に他の実施形態に係る運搬用部材を用い被運搬物を包装する際の包装用シートの使用態様図である。
【図７】従来の運搬用部材を用い被運搬物を包装した状態の斜視図である。
【符号の説明】
【００３１】
１  運搬用部材
２  上板
４  桁材
５  フォーク爪挿入部
７  被運搬物
９  包装用シート
１０  裾係止部
１２  芯部
１３  外巻部
１４  縦切欠部
１５  横切欠部
Ｆ  巻き終わり端部
Ｓ  裾
【図１】
2008213867.tif 000003
【図２】
2008213867.tif 000004
【図３】
2008213867.tif 000005
【図４】
2008213867.tif 000006
【図５】
2008213867.tif 000007
【図６】
2008213867.tif 000008
【図７】
2008213867.tif 000009